(57)【要約】【課題】  洋式便器の便座にワンタッチで着脱可能とした便座カバーを提供する。【解決手段】  便座の両側縁に沿って延びる一対のアームを備えたフレーム体と、前記アームに着脱自在に取付けられ便座の座面に重ねられるカバーシートから構成されている。フレーム体は、アームに設けた係止部を便座の両側縁に弾支せしめるように一対のアームを拡縮方向に弾発付勢する弾発手段を備え、一対のアームを弾発手段に抗して拡縮せしめる操作手段を備えた構成である。【選択図】  図１
2006055568.tif 000002
【特許請求の範囲】
【請求項１】
便座(3)の両側縁に沿って延びる一対のアーム(8)(8)を備えたフレーム体(6)と、前記アーム(8)(8)に着脱自在に取付けられ便座(3)の座面に重ねられるカバーシート(7)とから成り、
前記フレーム体(6)は、各アーム(8)に設けた係止部(11)を便座(3)の両側縁に弾支せしめるように一対のアーム(8)(8)を拡縮方向に弾発付勢する弾発手段(9)を備えると共に、一対のアーム(8)(8)を弾発手段(9)に抗して拡縮せしめる操作手段(10)を備えて成ることを特徴とする便座カバー。
【発明の詳細な説明】
【技術分野】
【０００１】
本発明は、洋式便器の便座にワンタッチで着脱可能とした便座カバーに関する。
【背景技術】
【０００２】
従来より、種々の便座カバーが提案されている。一般的な市販の便座カバーは、パイル織物生地等を素材とする細長いシート状のカバーを構成しており、該カバーを便座の座面に重ねた状態で固定手段により固定される。固定手段は、例えば、便座に弾着されるゴム紐や、粘着剤や、フック片や、面ファスナー等が提案されている。
【特許文献１】特開２００４−１６６９９公報
【特許文献２】特開２００３−３３９５７９公報
【特許文献３】特開２００３−１８０５６２公報
【特許文献４】特開平１１−２２５９１２公報
【発明の開示】
【発明が解決しようとする課題】
【０００３】
従来の便座カバーは、前述のような固定手段により便座に固定されるため、取付けと取外しをワンタッチで行うことができない。このため、便座に取付けられた一つの便座カバーを複数の人物が共同で使用することになり、衛生的でない。
【０００４】
また、ホテルや旅館等の便器は、通常、便座カバーが取付けられていないので、宿泊客は、便座に直接肌を接触させられ、使い心地が良くない。この点に関して、もしも、客室の便器に便座カバーが取付けられているときは、仮に便座カバーがクリーニングされていたとしても、使用者には衛生感が良くない。
【０００５】
更に、電車、船舶、飛行機等の乗物その他の不特定多数の人物が使用する便器に関しては、使い捨てとした紙製の便座カバーが提供されているが、便座の上に重ねた状態でカバーが固定せず自由に遊動するため、使い勝手が悪く、座り心地が良くない。
【課題を解決するための手段】
【０００６】
本発明は、上記課題を解決し、便座にワンタッチで着脱可能とした便座カバーを提供するものであり、その手段として構成したところは、便座の両側縁に沿って延びる一対のアームを備えたフレーム体と、前記アームに着脱自在に取付けられ便座の座面に重ねられるカバーシートとから成り、前記フレーム体は、アームに設けた係止部を便座の両側縁に弾支せしめるように一対のアームを拡縮方向に弾発付勢する弾発手段を備えると共に、一対のアームを弾発手段に抗して拡縮せしめる操作手段を備えて成る点にある。
【発明の効果】
【０００７】
本発明によれば、便座カバーは、操作手段を操作すると、カバーシートを取付けた一対のアームが弾発手段に抗して拡縮せしめられる。例えば、後述する第１実施形態のように、拡縮自在な一対のアームを弾発手段により縮閉方向に弾発付勢するように構成した場合は、操作手段を操作すると一対のアームが拡開され、操作手段を解放すると一対のアームが縮閉されるので、両アームに設けた係止部を便座の外側の両側縁に弾支させることができる。反対に、後述する第２実施形態のように、拡縮自在な一対のアームを弾発手段により拡開方向に弾発付勢するように構成した場合は、操作手段を操作すると一対のアームが縮閉され、操作手段を解放すると一対のアームが拡開されるので、両アームに設けた係止部を便座の内側の両側縁に弾支させることができる。
【０００８】
そこで、便座カバーを便座に取付ける際には、操作手段を操作することにより拡縮された一対のアームを便座の両側縁に沿わせると共に、カバーシートを便座の座面に重ね、その状態で操作手段を解放すると、一対のアームが弾発手段により復帰して係止部を便座の両側縁に弾支するので、このようなワンタッチの作業で簡単に取付けることができる。便座カバーを便座から取外す際には、操作手段を操作することにより一対のアームを拡縮すると、係止部が便座の両側縁から離脱するので、その状態で便座カバーを便座から取り上げれば良く、このようなワンタッチの作業で容易に取外すことができる。
【０００９】
このため、本発明の便座カバーを一般家庭で使用するときは、家族の構成員が各々自分の便座カバーを謂ば「マイ便座」として保有することにより、自分専用の便座カバーをワンタッチによる取付け取外し作業で随時簡単に使用することができ、衛生的である。
【００１０】
また、本発明の便座カバーは、ホテルや旅館等の宿泊施設における便器についても簡便に使用することができ、その場合、例えば、密封袋に収納したカバーシートとフレーム体を使用説明書を添えて提供すれば、使用者は、袋を開封することにより便座カバーを使用できるので、衛生感と使い心地が良い。
【００１１】
更に、本発明の便座カバーは、乗物等におけるような不特定多数の人物が使用する便器に関しても簡便に使用することができる。この場合、例えば、フレーム体は、便器の近傍の壁面に吊下げ、使い捨てとした紙製等のカバーシートを提供すれば、使用者は、フレーム体に新しいカバーシートを取付けた状態で、ワンタッチで便座に取付けることができるので、衛生的に使用することができ、しかも、使い勝手と座り心地が良い。
【発明を実施するための最良の形態】
【００１２】
以下図面に基づいて本発明の好ましい実施形態を詳述する。
【００１３】
（第１実施形態）
図１ないし図３は、本発明の第１実施形態を示している。便器１は、従来公知の洋式便器であり、便器本体２の上部開口縁に便座３と蓋体４をそれぞれ起伏方向に回動自在に設けている。尚、図例では、正面側に切欠部３ａを有するＵ形の便座３を示しているが、切欠部を有しないＯ形の便座３としても良い。
【００１４】
図２（Ａ）に示すように、便座カバー５は、フレーム体６とカバーシート７とから構成されている。フレーム体６は、一対のアーム８、８と、弾発手段９と、操作手段１０を一体に備えており、図例の場合、弾性を有する１本の鋼線により屈曲形成されているが、可撓性を有するプラスチックにより一体成形しても良い。
【００１５】
一対のアーム８、８は、相互に間隔をあけて配置され、便座３の外側の両側縁に沿って延びるように湾曲形成されており、該アーム８の適所（図例の場合、長手方向の中途部）に下向きに突出する係止部１１を設けている。この際、図１（Ａ）に示すように、両アーム８、８における係止部１１、１１の相互間隔ｗ１は、便座３の幅（外側の両側縁の相互間隔）ｗ２よりもやや小さい、即ち、ｗ１＞ｗ２となるように形成されている。
【００１６】
図２（Ａ）に示すように、操作手段１０は、一対のアーム８、８から交差部１２を介して尾端方向に延設されたハンドル１０ａ、１０ａにより構成されており、弾発手段９は、ハンドル１０ａ、１０ａの尾端を相互に連結すると共にコイル状に巻回された屈曲部９ａにより構成されている。
【００１７】
従って、一対のアーム８、８は、弾発手段９の弾性変形を介して、相互に拡縮自在となるように構成されている。即ち、図２（Ｂ）に示すように、作業者が両アーム８、８をそれぞれ握持することにより縮閉方向Ｆ１の外力を加えると、操作手段１０のハンドル１０ａ、１０ａが拡開方向Ｆ２に開くことにより、一対のアーム８、８は縮閉される。また、図２（Ｄ）に示すように、作業者が操作手段１０のハンドル１０ａ、１０ａを掌で握持することにより縮閉方向ｆ１の外力を加え縮閉すると、一対のアーム８、８は拡開方向ｆ２に拡開する。そして、このような外力から解放された状態において、一対のアーム８、８は前述した間隔ｗ１を保持している。尚、本発明において、「縮閉」とは、一対のアーム８、８又はハンドル１０ａ、１０ａが相互に近接して閉じる方向に移動する意味であり、「拡開」とは、一対のアーム８、８又はハンドル１０ａ、１０ａが相互に離間して開く方向に移動する意味である。
【００１８】
カバーシート７は、一対のアーム８、８をそれぞれ挿入可能とした袋部１３、１３を便座３の正面側で連結部１４を介して連結することにより全体としてＵ形を成すように一体に形成されており、該連結部１４にそれぞれの袋部１３、１３の内部に連通する開口部１５を設けている。
【００１９】
ところで、カバーシート７をフレーム体６の一対のアーム８、８に取付けるためには、図２（Ｂ）に示すように、両アーム８、８に縮閉方向Ｆ１の外力を加えることにより、弾発手段９の弾性変形を介して、両アーム８、８を縮閉せしめた状態で、相互に近接したアーム８、８の先端部８ａ、８ａをカバーシート７の開口部１５に挿入し、それぞれアーム８、８を袋部１３、１３に挿入すれば良く、前記外力Ｆ１を除去すると、図２（Ｃ）に示すように、弾発手段９により両アーム８、８が前記間隔ｗ１を保持するように元の状態に復帰し、これにより使用可能な状態の便座カバー５が提供される。
【００２０】
そこで、便座カバー５を便器１の便座３に取付ける際には、図２（Ｄ）に示すように、操作手段１０を掌で握持することによりハンドル１０ａ、１０ａを縮閉方向ｆ１に縮閉し、係止部１１、１１の間隔が便座３の幅ｗ２を越えるようにアーム８、８を拡開方向ｆ２に拡開した状態で、両アーム８、８を便座３の外側の両側縁に沿わせ、カバーシート７を便座３の座面に重ねた後、ハンドル１０ａ、１０ａを外力から解放すると、図１（Ｂ）に示すように、アーム８、８が弾発手段９により元の幅ｗ１となるように弾発付勢され、図示矢印ｆｘで示すように係止部１１、１１を便座３の両側縁に弾支するので、これにより便座カバー５が便座３に固定される。従って、便座カバー５は、ワンタッチの作業で簡単に取付けられる。
【００２１】
この点の作用は、図３に示す通りであり、図３（Ａ）は、便座カバー５を便座３に取付ける前の状態を示しており、アーム８、８は、常態における係止部１１、１１の間隔ｗ１を保持している。図３（Ｂ）は、操作手段１０のハンドル１０ａ、１０ａを握持することによりアーム８、８を拡開せしめた状態を示しており、係止部１１、１１の間隔は便座３の幅ｗ２を越えているので、便座カバー５は便座３に取付可能な状態にある。図３（Ｃ）は、便座カバー５を便座３に取付けた状態を示しており、アーム８、８が弾発手段９により縮閉方向に弾発付勢され、係止部１１、１１を矢印ｆｘのように便座３の両側縁に向けて弾支している。
【００２２】
便座カバー５を便座３に取付けた状態で、フレーム体６の操作手段１０と弾発手段９が便座３の正面側に向けて突出するが、使用者の股間に位置するので、使用に際して邪魔になることはない。むしろ、図１（Ａ）に示すような切欠部３ａを有するＵ形の便座３の場合、使用者が立ち上がる際に、股間から下げたパンツ等の下着が切欠部３ａに引っ掛かるというトラブルを生じる虞れがあるのに対して、本発明によれば、フレーム体６の交差部１２が便座３の切欠部３ａを上方から被うので、使用者が便座カバー５の上に着座した状態で下着を交差部１２及び操作手段１０の上に定置することができ、前述のようなトラブルを生じないという利点がある。
【００２３】
尚、便座カバー５を便座３から取外す際には、再度、操作手段１０のハンドル１０ａ、１０ａを握持すれば一対のアーム８、８が拡開され、係止部１１、１１を便座３の両側縁から離脱するので、便座カバー５を便座３から取り上げれば良い。従って、便座カバー５は、ワンタッチの作業で容易に取外すことができる。
【００２４】
（変形実施例）
本発明の便座カバー５が上記実施形態に限定されないことは勿論であり、図４及び図５に示すような種々の変形実施例を実施することが可能である。
【００２５】
上述した図示実施形態の場合、アーム８の長手方向中途部をほぼＵ形に屈曲することにより下向きに突出する係止部１１を形成したが、図４（Ａ）に示す変形実施例では、アーム８の中途部をコイル状に屈曲することにより下向きに突出する係止部１１を形成している。また、弾発手段９に代えて又は弾発手段９に加えて、アーム８、８の先端部８ａ、８ａを連結するゴム紐等から成る引張弾発手段９ｂを設け、これによりアーム８、８を縮閉方向に弾発付勢する構成とすることが可能である。尚、このような引張弾発手段９ｂを設けた場合、カバーシート７は、上述したようなアーム８を挿入する袋部１３ではなく、アーム８の上に重ねた状態で着脱自在に固定されるシートにより構成すれば良い。
【００２６】
図４（Ｂ）は、係止部１１の別の変形実施例を示しており、アーム８、８は、長手方向中途部にクランク状の折曲部８ｂを形成し、該折曲部８ｂから先端部８ａに至る長い領域を係止部１１としている。即ち、便座３に取付けたとき、折曲部８ｂから交差部１２に至る領域は便座３の座面上に位置するが、係止部１１は便座３の側縁（側壁面）に弾支されるように構成されている。
【００２７】
図４（Ｃ）は、操作手段１０と弾発手段９の変形実施例を示しており、一対のアーム８、８は、交差部１２において軸部材１６により枢支され、該交差部１２を介して延びる一対のハンドル１０ｂ、１０ｂから成る操作手段１０を形成し、該ハンドル１０ｂ、１０ｂの間に圧縮スプリング９ｃから成る弾発手段９を設けている。尚、図示省略しているが、弾発手段９の周囲を被うカバーを設けることが好ましい。この変形実施例によれば、一対のハンドル１０ｂ、１０ｂが弾発手段９により拡開方向に弾発付勢され、アーム８、８を縮閉方向に付勢するので、上述した第１実施形態と同様の方法で使用される。
【００２８】
図５（Ａ）は、カバーシート７の変形実施例を示している。カバーシート７は、上述した第１実施形態と同様に袋部１３、１３を形成するが、袋部１３の上下を構成する上側のシート素材７ａと下側のシート素材７ｂを異なる素材により形成している。例えば、３点ユニットと称されるような風呂用浴槽と、洗面台と、便器をユニット化したものにおいては、シャワーや洗面台から水が飛散し、便座の座面が濡れている場合があり、使用者が便座に着座した際に不快感を覚えることになる。そこで、このような問題を解消するため、上側のシート素材７ａを着座感に優れるパイル織物その他の編織シートにより形成する一方、下側のシート素材７ｂを合成樹脂フィルムその他の防水シートにより形成することができる。
【００２９】
図５（Ｂ）（Ｃ）は、使い捨てのカバーシート７を使用できる便座カバー５を示している。カバーシート７は、紙や不織布その他の安価なシート素材により形成され、係止孔を備えた着脱片１７を設けている。フレーム体６のアーム８、８は、上述したように便座３の両側縁に弾支される係止部１１を下向きに突設しているが、該係止部１１は、前記着脱片１７の係止孔に挿入される着脱部１８を構成する。図５（Ｃ）に示すように、カバーシート７は、アーム８、８の上に重ね、着脱片１７を下向きに折曲げた状態で、着脱片１７の係止孔に着脱部１８を挿通することができ、これにより、カバーシート７がアーム８、８に着脱自在に取付けられる。従って、例えば、乗物等のように不特定多数の人物が便器を使用する環境において、フレーム体６を便器の近傍に吊下げ、使い捨てのカバーシート７の多数枚を供給装置から１枚ずつ供給すれば、使用者は、その都度、新しいカバーシート７をフレーム体６に取付けることにより、便座カバー５を衛生的に使用することができる。尚、使い捨てのカバーシート７は、水溶性の素材で形成することにより、使用済みのカバーシート７を便器に廃棄できるように構成することが好ましい。
【００３０】
（第２実施形態）
図６は、本発明の第２実施形態を示している。便座カバー５は、フレーム体６と、該フレーム体６の一対のアーム８、８に着脱自在に取付けられるカバーシート７とから構成されており、この点は上記第１実施形態と同様である。
【００３１】
フレーム体６は、相互に間隔をあけて拡縮自在に配置された一対のアーム８、８から延びるハンドル１０ａ、１０ａにより形成された操作手段１０を設けており、ハンドル１０ａ、１０ａの尾端を相互に連結すると共にコイル状に巻回された屈曲部９ａにより弾発手段９を構成している。そこで、操作手段１０を握持することによりハンドル１０ａ、１０ａを縮閉方向に縮閉すると、一対のアーム８、８も縮閉方向に縮閉するが、操作手段１０を解放すると、ハンドル１０ａ、１０ａ並びにアーム８、８は、弾発手段９により拡開方向に弾発付勢されるように構成されている。
【００３２】
即ち、上述した第１実施形態のフレーム体６は、操作手段１０を握持すると一対のアーム８、８が拡開され、操作手段１０を解放すると両アーム８、８が縮閉されるのに対し、第２実施形態のフレーム体６は、操作手段１０を握持すると一対のアーム８、８が縮閉され、操作手段１０を解放すると両アーム８、８が拡開されるものであり、この点で相違している。
【００３３】
そこで、アーム８、８は、便座３の内側の両側縁に対して弾接可能とされた係止部１１、１１を設けている。従って、便座カバー５を便器１の便座３に取付ける際には、操作手段１０を握持することによりハンドル１０ａ、１０ａを縮閉方向に縮閉し、アーム８、８を縮閉方向に縮閉させた状態で、両アーム８、８を便座３の外側の両側縁に沿わせ、カバーシート７を便座３の座面に重ね、係止部１１、１１を便座３の内側の両側縁に沿って挿入した後、ハンドル１０ａ、１０ａを外力から解放すると、図６（Ｂ）に示すように、アーム８、８が弾発手段９により拡開方向に弾発付勢され、係止部１１、１１を図示矢印ｆｘのように便座３の内側の両側縁に弾支する。これにより便座カバー５はワンタッチの作業で簡単に便座３に取付けられる。
【００３４】
便座カバー５を便座３から取外す際には、再度、操作手段１０のハンドル１０ａ、１０ａを握持すれば一対のアーム８、８が縮閉され、係止部１１、１１を便座３の両側縁から離脱するので、便座カバー５を便座３から取り上げれば良い。従って、便座カバー５は、ワンタッチの作業で容易に取外すことができる。
【図面の簡単な説明】
【００３５】
【図１】本発明の第１実施形態に係る便座カバーを示しており、（Ａ）は便座カバーを便座から取外した状態を示す斜視図、（Ｂ）は便座カバーを便座に取付けた状態を示す斜視図である。
【図２】本発明の第１実施形態に係る便座カバーを示しており、（Ａ）はフレーム体とカバーシートを分解した状態を示す斜視図、（Ｂ）はカバーシートを取付けるためにフレーム体を変形させた状態を示す斜視図、（Ｃ）はフレーム体にカバーシートを取付けた常態を示す斜視図、（Ｄ）は便座カバーを便座に取付ける際の作用を示す斜視図である。
【図３】本発明の第１実施形態に係る便座カバーを便座に取付ける際の作用を示しており、（Ａ）は取付前の状態を示す断面図、（Ｂ）は取付中の状態を示す断面図、（Ｃ）は取付後の状態を示す断面図である。
【図４】本発明の便座カバーの変形実施例を示しており、（Ａ）は係止部と引張弾発手段に関する変形実施例を示す斜視図、（Ｂ）は係止部に関する別の変形実施形態を示す斜視図、（Ｃ）は操作手段と弾発手段に関する変形実施例を示す斜視図である。
【図５】本発明の便座カバーの変形実施例を示しており、（Ａ）はカバーシートに関する変形実施例を示す断面図、（Ｂ）（Ｃ）は使い捨てのカバーシートを構成した変形実施例を示す斜視図と断面図である。
【図６】本発明の第２実施形態に係る便座カバーを示しており、（Ａ）は便座カバーを便座から取外した状態を示す斜視図、（Ｂ）は便座カバーを便座に取付けた状態を示す斜視図である。
【符号の説明】
【００３６】
３    便座
５    便座カバー
６    フレーム体
７    カバーシート
８    アーム
９    弾発手段
９ａ  屈曲部
１０    操作手段
１０ａ  ハンドル
１１    係止部
１２    交差部
１３    袋部
【図１】
2006055568.tif 000003
【図２】
2006055568.tif 000004
【図３】
2006055568.tif 000005
【図４】
2006055568.tif 000006
【図５】
2006055568.tif 000007
【図６】
2006055568.tif 000008